(57)【特許請求の範囲】
【請求項１】
光源から発した光を光学素子に通して拡げた後に複数の透孔を有する遮光板に照射し、前記透孔を透過した光を表示対象に投影して前記透孔に対応した複数の光点を前記表示対象に表示する光点表示方法において、
前記光学素子と前記遮光板との離間寸法を変化させることによって、前記光源からの距離を異にする表示対象に対し基準となる２つの光点の離間寸法を同一にして表示することを特徴とする光点表示方法。
【請求項２】
光源から発した光を光学素子に通して拡げた後に複数の透孔を有する遮光板に照射し、前記透孔を透過した光を表示対象に投影して前記透孔に対応した複数の光点を前記表示対象に表示する光点表示方法において、
前記光学素子と前記遮光板との離間寸法を変化させることによって、前記光源から同一距離に位置する表示対象に対し基準となる２つの光点の離間寸法を変えて表示することを特徴とする光点表示方法。
【請求項３】
光を出射して表示対象に光点を表示する光点表示装置において、
（イ）前記表示対象から離間して位置し光を発する光源と、
（ロ）この光源から前記表示対象への光の経路の途中に配されて光源から発した光を拡げる光学素子と、
（ハ）前記光学素子から表示対象への光の経路の途中に配されて、表示対象に表示される光点に対応した複数の透孔を有する遮光板と、
（ニ）前記光学素子と前記遮光板の少なくともいずれか一方を移動させて、光学素子と遮光板とを結ぶ光の経路の長さを可変にする可変手段と、
を備えたことを特徴とする光点表示装置。
【請求項４】
前記光源はレーザ発振器であることを特徴とする請求項３に記載の光点表示装置。
【請求項５】
前記光学素子は凸レンズであることを特徴とする請求項３または４に記載の光点表示装置。
【請求項６】
前記遮光板を固定系とし、前記光学素子が前記可変手段により移動せしめられることを特徴とする請求項３から５のいずれかに記載の光点表示装置。
【請求項７】
前記光源と前記表示対象との離間寸法と表示対象に表示される基準となる２つの光点の離間寸法のいずれか一方の離間寸法を一定とした場合に、残る他方の離間寸法に対応した指標を有する目盛と、前記光学素子と前記遮光板との離間寸法に対応して動きこの離間寸法に対応した前記目盛の指標を指す指針と、を備えていることを特徴とする請求項３から５のいずれかに記載の光点表示装置。
【請求項８】
前記表示対象は壁面であり、この壁面に墨出しをするために用いられることを特徴とする請求項３から７のいずれかに記載の光点表示装置。
【発明の詳細な説明】
【０００１】
【発明の属する技術分野】
本発明は、光点表示方法と光点表示装置に関し、更に詳細には、複数の透孔を備えた遮光板にレーザ光を照射して天井に複数の光点を表示する光点表示方法と光点表示装置に関するものである。
【０００２】
【従来の技術】
天井にアンカー等を打つ場合の位置決めは、従来以下のような方法により行なわれていた。
【０００３】
即ち、▲１▼脚立に登り天井面に直接メジャーを当てて寸法を図り位置決めする方法や、▲２▼天井面に対応する床面に基準点を寸法取りをしておき、脚立に登って床面の基準点に下げ振りを合わせ、これに対応する天井面に墨出しをしていく方法である。
【０００４】
しかし、前記▲１▼の方法ではかなり危険をともなう作業であり、前記▲２▼の方法では作業者が２人いないと作業ができず、また、下げ振りが落ちつくまでに時間がかかるので作業効率が極めて悪い。
【０００５】
そこで、この問題を解決する方法として実開昭６４−３４５０７号公報に記載された方法が提案されている。この方法では、初めに天井面に対応する床面に基準点を寸法取りしておき、次に、レーザビームを出射する基準位置表示器を床の基準点に設置し、基準位置表示器から出射したレーザービームを天井面に照射して光点を表示し、次に脚立に登って天井面の光点に墨出しをする。この方法で位置決めをすれば、天井面にメジャーを当てて寸法をとらなくてもよいので危険作業が減少し、また、１人で作業を行なうことができる。
【０００６】
しかしながら、この方法では１回の操作で天井に表示される光点は１点のみであり、複数の点を位置決めする場合には、床面に複数の基準点を設け、各基準点に基準位置表示器を移動させながら一点各々位置決めを行わなければならず、面倒であるとともに作業に長時間を要した。
【０００７】
そこで、特開平５−２８５８６１号公報に開示されるように、複数の位置決めを同時に行うことができる装置が提案されている。この装置では、天井用器具の設置位置が描かれた透明フィルムの下からハロゲン電球を照射し、透明フィルムの像を天井面に投影して位置決めを行う。このようにすれば、予め透明フィルムに複数の設置位置を描いておくだけで、複数の点を同時に位置決めすることができる。
【０００８】
【発明が解決しようとする課題】
しかしながら、特開平５−２８５８６１号公報に記載された装置では、光源から天井までの高さ寸法が変化すると天井に投影された天井用器具の設置位置がずれてしまう。
【０００９】
これに対処するには２つの方法が考えられる。一つは、天井までの高さ寸法に対応した透明フィルムを予め何種類か用意しておく方法である。この方法は、天井までの高さ寸法の相違する数だけ透明フィルムが必要で、その数は無限であり、現実的でない。
【００１０】
別の方法は、必要な高さの架台やスペーサ等を用意し、これを床面と装置との間に配置して、光源から天井までの高さが常に同じになるようにする方法である。しかしながら、この方法も、天井までの高さ寸法の相違する数だけ架台やスペーサが必要で、その数は無限であり、現実的でない。しかも、装置が有する天井面までの基準高さよりも実際の天井面までの高さが低い場合には対応できないという問題もある。
【００１１】
本発明は、かかる従来の問題点を解決するためになされたものであり、天井までの離間寸法が変化しても天井に対し基準となる２つの光点の離間寸法を同一に表示することができ、或いは天井までの離間寸法が一定の場合に基準となる２つの光点の離間寸法を任意に変化させることができる光点表示方法と光点表示装置を提供することを目的とする。
【００１２】
【課題を解決するための手段】
本発明は前記課題を解決するために、以下の手段を採用した。
【００１３】
（１）  即ち、本発明による光点表示方法は、光源から発した光を光学素子に通して拡げた後に複数の透孔を有する遮光板に照射し、前記透孔を透過した光を表示対象に投影して前記透孔に対応した複数の光点を前記表示対象に表示する光点表示方法において、前記光学素子と前記遮光板との離間寸法を変化させることによって、前記光源からの距離を異にする表示対象に対し基準となる２つの光点の離間寸法を同一にして表示することを特徴とする。
【００１４】
光源と表示対象までの離間寸法が変化しても、光学素子と透孔を備えた遮光板との離間寸法を変化させることにより透孔から出射する光の方向を変化させて、前記表示対象に表示される２つの光点間の離間寸法を同一にすることができる。
【００１５】
光源からの距離を異にする表示対象に表示された基準となる２つの光点は、表示対象間で位置関係が対応していればいずれの光点を選択してもよい。
【００１６】
（２）  本発明による別の光点表示方法は、光源から発した光を光学素子に通して拡げた後に複数の透孔を有する遮光板に照射し、前記透孔を透過した光を表示対象に投影して前記透孔に対応した複数の光点を前記表示対象に表示する光点表示方法において、前記光学素子と前記遮光板との離間寸法を変化させることによって、前記光源から同一距離に位置する表示対象に対し基準となる２つの光点の離間寸法を変えて表示することを特徴とする。
【００１７】
前記光源から同一距離に位置する表示対象に対して、光学素子と前記遮光板との離間寸法を変化させることにより、透孔を通過する出射光の方向を変化させ、表示対象に表示させる光点の位置を変化させることができる。従って、表示対象に表示される２つの光点間の離間寸法を変化させることができる。
【００１８】
光源からの距離を同一とする表示対象に表示された基準となる２つの光点は、表示対象間で位置関係が対応していればいずれの光点を選択してもよい。
【００１９】
（３）  本発明による光点表示装置は、光を出射して表示対象に光点を表示する光点表示装置において、（イ）前記表示対象から離間して位置し光を発する光源と、（ロ）この光源から前記表示対象への光の経路の途中に配されて光源から発した光を拡げる光学素子と、（ハ）前記光学素子から表示対象への光の経路の途中に配されて、表示対象に表示される光点に対応した複数の透孔を有する遮光板と、（ニ）前記光学素子と前記遮光板の少なくともいずれか一方を移動させて、光学素子と遮光板とを結ぶ光の経路の長さを可変にする可変手段と、を備えたことを特徴とする。
【００２０】
光源から発した光を光学素子に通して拡げた後に複数の透孔を有する遮光板に照射し、前記透孔を透過した光を表示対象に投影して、前記透孔に対応した複数の光点を前記表示対象に表示する。
【００２１】
前記光源はレーザ発振器を例示することができるが、これに限定されるものではない。光源をレーザ発信器とした場合、レーザ発振器から出射されたレーザ光は平行光であり、このレーザ光は全て光学素子に入射して拡げられるので、エネルギーの無駄がない。
【００２２】
前記光学素子は、透過光線を拡げる機能を有していればどのような構成であってもよく、例えば、光学レンズ（凸レンズ、凹レンズ、シリンドリカルレンズ、２枚の凹凸レンズを組み合わせたもの等）を例示することができる。
【００２３】
凸レンズを用いた場合には、凸レンズから出射した光は凸レンズの焦点を通過した後、拡がって遮光板に照射される。
前記遮光板に設ける透孔の形状は、円形、星形、十字など種々の形状が採用可能である。
【００２４】
前記光源、光学素子、遮光板については前記（１）及び（２）に記載の光点表示方法の場合にも同様に適用される。
前記可変手段は、光学素子を固定して遮光板を移動させるように構成してもよいし、遮光板を固定して光学素子を移動させるように構成してもよいし、光学素子と遮光板の両方を同時に移動させるように構成してもよく、結果的に光学素子と遮光板とを結ぶ光の経路の長さを可変にできればよい。
【００２５】
光学素子または遮光板を可変手段によって移動させ光学素子と遮光板とを結ぶ光の経路の長さを可変にすることにより、透孔に入射する光の入射角を変化させることができる。
【００２６】
これによって、光学素子と表示対象までの離間寸法が変化しても表示対象に表示される基準となる２つの光点の離間寸法をを同一に調整することができ、または、光源から同一距離に位置する表示対象に対し基準となる２つの光点の離間寸法を変化せることができる。
【００２７】
つまり、この光点表示装置を使用して、前記（１）及び（２）の光点表示方法を実施することができる。
本発明による光点表示装置は、▲１▼ 前記光源と前記表示対象との離間寸法と、▲２▼ 表示対象に表示される基準となる２つの光点の離間寸法、のいずれか一方の離間寸法を一定とした場合に、残る他方の離間寸法に対応した指標を有する目盛と、前記光学素子と前記遮光板との離間寸法に対応して動きこの離間寸法に対応した前記目盛の指標を指す指針と、を備えるようにしてもよい。
【００２８】
前記目盛について詳述すると、光源と表示対象との離間寸法が異なった時にも表示対象に表示される基準となる２つの光点の離間寸法を一定にするように光点表示装置を使用したい場合には、目盛の指標を光源と表示対象までの離間寸法に対応したものとする。このようにすると、表示しようとする表示対象と光源との離間寸法に対応した指標に指針を合わせるだけで、基準となる２つの光点の離間寸法を容易に一定にすることができる。
【００２９】
また、光源からの離間寸法が常に一定である表示対象に対して基準となる２つの光点の離間寸法を可変できるように光点表示装置を使用したい場合には、目盛の指標を表示対象に表示される基準となる２つの光点の離間寸法に対応したものとする。このようにすると、所望する光点間寸法に対応した指標に指針を合わせるだけで、基準となる２つの光点の離間寸法を所望する寸法に容易に調整することができる。
【００３０】
前記（１）、（２）、（３）に記載の発明における表示対象は、光点を表示できるものであればその種類は問わず、天井面や床面や側壁を含む壁面を例示することができる。
【００３１】
本発明の光点表示装置は、前記表示対象を壁面とし、この壁面に墨出しをする場合に使用することができる。
【００３２】
【発明の実施の形態】
以下、本発明の実施の形態を図１から図１２の図面に基づいて説明する。
【００３３】
〔第１の実施の形態〕
本発明における光点表示装置の第１の実施の形態を、図１から図９の図面に基づいて説明する。尚、この実施の形態における光点表示装置は建物の天井面に墨出しを行う場合に使用する態様である。
【００３４】
光点表示装置１は、図１及び図２に示すように、フレーム３が連結器４によって支持脚２に回動自在に取り付けられて構成されている。
光点表示装置１は支持脚２によって、墨出しの対象である天井面（表示対象）１００の下方に位置する床面１１０の上に設置される。
【００３５】
支持脚２とフレーム３とを回動可能に連結する連結器４は自在継手の如く構造をなしており、フレーム３が支持脚２に対して３次元的にほぼ全方向に揺動可能にする機能を有している。この連結器４については周知技術であるので詳細説明は省略する。
【００３６】
フレーム３は上部に開口３ａを有する箱形をなし、その内部は連結器４よりも下方に設けられた仕切板３ｂにより上下二つの部屋に仕切られている。
フレーム３には、レーザ発信器（光源）５と、凸レンズ（光学素子）６と、レンズ移動装置（可変手段）７と、遮光板８と、バッテリー９が取り付けられている。
【００３７】
詳述すると、フレーム３の開口３ａには遮光板８が取り付けられている。遮光板８は図３に示すように円形でシート状をなし、貫通形成された多数の透孔１０が所定の等ピッチで縦横に配列されている。透孔１０のうち遮光板８の中央に位置する透孔１０ａは他の透孔１０よりも若干大径に形成されていて、中央の透孔１０ａを区別できるようになっている。
【００３８】
仕切板３ｂの上面であってフレーム３の軸心上には、レーザ光を遮光板８側に発するレーザ発信器５が設置されており、フレーム３の内部であってレーザ発信器５と遮光板８との間には、レンズ移動装置７に支持された凸レンズ６が配置されている。ここで、レーザ発信器５から発せられたレーザ光の中心軸と、凸レンズ６の光軸と、遮光板８における中央の透孔１０ａの中心軸は、フレーム３の軸心Ａに一致するように設定されている。
【００３９】
凸レンズ６はレンズ移動装置７によって、凸レンズ６の光軸と透孔１０ａの中心軸とを同心上に保持しつつ、遮光板８に接近及び離反可能に支持されている。
レンズ移動装置７は、図４に示すように、フレーム３に回動可能に支持されたハンドル１１と、このハンドル１１に連結され同期回転するピニオンギヤ１２と、ピニオンギヤ１２に噛合してフレーム３に上下移動可能に取り付けられたラックギヤ１３と、ラックギヤ１３に固定された支持アーム１４とから構成されており、支持アーム１４の先端に凸レンズ６が固定されている。
【００４０】
このレンズ移動装置７のハンドル１１を正転あるいは逆転することによって、凸レンズ６を遮光板８に接近あるいは離反させて、凸レンズ６と遮光板８との離間寸法Ｃを変えることができ、これにより光の経路の長さを変えることができるようになっている。
【００４１】
また、レンズ移動装置７のラックギヤ１３には指針１５が固定されており、この指針１５はフレーム３に設けられた上下方向に延びる挿通孔１６に挿通され、ラックギヤ１３の移動に伴ってフレーム３の外側を上下動するようになっている。
【００４２】
フレーム１３の挿通孔１６の側部外面には図５及び図６に示すように目盛１７が表示されており、指針１５の先端が目盛１７の指標を指し示すようになっている。目盛１７の指標については光点表示装置１の使用方法により異なっており、これについては後で詳述する。
【００４３】
フレーム３の内部であって仕切板３ｂの下側には、レーザ発振器５の電源となるバッテリー９が内蔵されている。バッテリー９の重量は極めて重く、これによって、支持脚２を除いた光点表示装置１の重心を、支持脚２とフレーム３とを連結する連結器４よりも下側に位置するようにしている。したがって、フレーム３の軸心Ａは常に鉛直方向に向くようになり、レーザ発信器５から発せられるレーザ光の向きを常に鉛直上向きにすることができるようになっている。
【００４４】
また、フレーム３の底面であってフレーム３の軸心上には、下方に延びる突起１８が設けられており、この突起１８は鉛直下方に向けられるようになる。
次に、この光点表示装置１の使用方法について説明する。この光点表示装置１は次の（ｉ）及び（ｉｉ）の光点表示方法の実施に使用することができる。
【００４５】
（ｉ）床面１１０からの離間寸法が異なる複数の天井面１００に対して、天井面１００に表示される２つの基準となる光点の離間寸法を一定にして表示する表示方法（以下、この表示方法を第１の表示方法という）
【００４６】
（ｉｉ）床面１１０から天井面１００までの離間寸法が同一の複数の天井面に対して、天井面に表示される２つの基準となる光点の離間寸法を所望する寸法に変えて表示する表示方法（以下、この表示方法を第２の表示方法という）
以下、それぞれの表示方法における光点表示装置１の使用方法を説明する。
【００４７】
（ｉ）第１の表示方法
光点表示装置１を第１の表示方法に用いる場合には、目盛１７の指標として、床面１１０から天井面１００までの高さ（離間寸法）Ｈに対応した寸法（数値）を付しておく。
【００４８】
また、これから墨出しを行う天井面１００からその下方の床面１１０までの距離を予め測定しておき、さらに、床面１１０には予め、天井面１００の墨出しの中心となる位置の真下を中心点Ｂとして墨出しをしておく。
【００４９】
次に、光点表示装置１を、突起１８の先端が床面１１０に墨出しされた中心点Ｂの上方に位置するように配置する。
そして、ハンドル１１を回転して、レンズ移動装置７の指針１５が、予め測定しておいた床面１１０から天井面１００までの距離を示す目盛１７の指標を指し示すようにする。
【００５０】
次に、スイッチ（図示せず）を入れてバッテリー９とレーザ発信器５を電気的に接続し、レーザ発振器５からレーザ光２０を出射させる。レーザ光２０は、凸レンズ６を通過する際に拡げられて遮光板８に照射され、遮光板８の透孔１０，１０ａを通過した光だけが天井面１００に照射されて、透孔１０（１０ａ）に対応する光点Ｐが天井面１００に表示される。
【００５１】
例えば、床面１１０から天井面１００までの高さＨが２．５メートルである場合には、ハンドル１１を回転して指針１５を図５に示すように目盛１７の指標「２．５」に合わせる。すると、図１あるいは図７に示すように、天井面１００に表示された光点Ｐの基準となる２つの光点Ｐ1，Ｐ2 の離間寸法はＳとなる。
【００５２】
この後、例えば、床面１１０からの高さＨが２メートルの天井面１００に墨出しを行う場合には、ハンドル１１を回転して指針１５を図６に示すように目盛１７の指標「２．０」に合わせる。すると、指針１５を指標「２．５」に合わせた時よりも指標「２．０」に合わせた時の方が、凸レンズ６が遮光板８に接近する。その結果、透孔１０を通過する光の拡がり角度が大きくなる。
【００５３】
その結果、この場合も図２あるいは図７に示すように、２メートルの高さの天井面１００に表示された基準となる２つの光点Ｐ1，Ｐ2 の離間寸法を、２．５メートルの高さの天井面１００の場合と同寸法のＳとすることができる。換言すれば、このように基準となる２つの光点Ｐ1，Ｐ2 の離間寸法が同寸法となるように、目盛１７の指標の位置を予め設定しておくのである。
【００５４】
尚、基準となる２つの光点はＰ1，Ｐ2 に限るものではなく、２．５メートルの高さの天井面１００に表示された２つの光点と、２メートルの高さの天井面１００に表示された２つの光点と、の間で対応が取れていればいずれの２つの光点を選択してもよく、例えば図７においてＰ3，Ｐ4の光点を基準となる２つの光点としてもよい。
【００５５】
このようにして、床面１１０からの高さＨが異なる複数の天井面１００に対して、天井面１００に表示される２つの基準となる光点Ｐ，Ｐの離間寸法を同一寸法Ｓにして表示することができる。
【００５６】
尚、この実施の形態では、床面１１０と天井面１００との間の離間寸法に対応する指標を目盛１７に採用したが、凸レンズ６と天井面１００との間の離間寸法に対応する指標を目盛１７に採用してもよい。
【００５７】
（ｉｉ）第２の表示方法
第２の表示方法では、床面１１０から天井面１００までの高さＨは、墨出しを行おうとする複数の天井面１００において同じ高さ（例えば２．５メートル）である。
【００５８】
光点表示装置１を第２の表示方法に用いる場合には、目盛１７の指標として、基準となる２つの光点Ｐ1，Ｐ2 の離間寸法Ｓ1，Ｓ2・・・Ｓn に対応した寸法（数値）を付しておく。
【００５９】
また、これから墨出しを行う天井面１００に対応する床面１１０であって、天井面１００の墨出しの中心となる位置の真下に予め中心点Ｂとして墨出しをしておく。
【００６０】
次に、光点表示装置１を、突起１８の先端が床面１１０に墨出しされた中心点Ｂの上方に位置するように配置する。
そして、ハンドル１１を回転して、レンズ移動装置７の指針１５が、所望する光点間寸法を示す目盛１７の指標を指し示すようにする。
【００６１】
次に、スイッチ（図示せず）を入れてバッテリー９とレーザ発信器５を電気的に接続し、レーザ発振器５からレーザ光２０を出射させる。レーザ光２０は、凸レンズ６を通過する際に拡げられて遮光板８に照射され、遮光板８の透孔１０，１０ａを通過した光だけが天井面１００に照射されて、透孔１０（１０ａ）に対応する光点Ｐが天井面１００に表示される。
【００６２】
例えば、一番目の天井面１００Ａに表示される基準となる２つの光点Ｐ1，Ｐ2の離間寸法をＳ1 にしたい場合には、ハンドル１１を回転して指針１５を目盛１７の指標「Ｓ1」に合わせる。すると、図８に示すように、天井面１００Ａに表示された光点Ｐの基準となる２つの光点Ｐ1，Ｐ2 の離間寸法はＳ1となる。
【００６３】
この後、床面１１０から同じ高さＨの別の天井面１００Ｂに、基準となる２つの光点の離間寸法をＳ1 よりも大きいＳ2 の寸法で光点Ｐを表示する場合には、ハンドル１１を回転して指針１５を目盛１７の指標「Ｓ2」に合わせることにより、レンズ６を遮光板８に接近させる。その結果、透孔１０を通過する光の拡がり角度が大きくなる。
【００６４】
これによって、図９に示すように、天井面１００Ｂに表示される基準となる２つの光点Ｐ1，Ｐ2の離間寸法を拡げてＳ2 にすることができる。換言すれば、このように基準となる２つの光点Ｐ1，Ｐ2 の離間寸法が所望の寸法となるように、目盛１７の指標の位置を予め設定しておくのである。
【００６５】
尚、基準となる２つの光点をどのように設定するかについては第１の表示方法の場合と同様、自由である。
【００６６】
〔第２の実施の形態〕
次に、本発明における光点表示装置１の第２の実施の形態を図１０から図１２の図面に基づいて説明する。
【００６７】
第２の実施の形態における光点表示装置１は、表示対象である天井面に光点を一列毎に表示するか、あるいは一列だけ表示する場合に使用されるものである。
第２の実施の形態における光点表示装置１が第１の実施の形態と相違する点は、凸レンズ６の代わりにシリンドリカルレンズ１９を使用している点と、遮光板８に設けられた透孔１０の数と配列の点、にあり、その他の構成については、第１の実施の形態と同様であるので、図中同一態様部分については同一符号を付して説明を省略し、相違点についてだけ以下に説明する。
【００６８】
遮光板８は図９に示すように円形でシート状をなし、貫通形成された複数の透孔１０が所定の等ピッチで一直線状に配されている。透孔１０のうち遮光板８の中央に位置する透孔１０ａは他の透孔１０よりも若干大径に形成されていて、中央の透孔１０ａを区別できるようになっている。
【００６９】
シリンドリカルレンズ１９は、母線方向を含む面内では屈折作用はないが、母線に垂直な面内ではレンズと同様な屈折作用を生じるものである。即ち、光束の絞られたレーザ光３６はシリンドリカルレンズ５９を通過すると母線に平行な直線状の光となる。このシリンドリカルレンズ１９はレンズ移動装置７の支持アーム１４の先端に固定されている。
【００７０】
レーザ発信器５から発せられたレーザ光２０は、シリンドリカルレンズ１９を透過して母線に平行な直線状の光となり、遮光板８において各透孔１０を含む直線上に照射される。その結果、遮光板８の透孔１０，１０ａを通過した光だけが天井面１００に照射されて、透孔１０（１０ａ）に対応する光点Ｐが図１２に示すように天井面１００に一直線上に表示される。
【００７１】
この第２の実施の形態におけ光点表示装置１を使用することによっても、第１の実施の形態のものと同様に、（ｉ）床面１１０からの離間寸法が異なる複数の天井面１００に対して、天井面１００に表示される２つの基準となる光点の離間寸法を一定にして表示する表示方法と、（ｉｉ）床面１１０から天井面１００までの離間寸法が同一の複数の天井面に対して、天井面に表示される２つの基準となる光点の離間寸法を所望する寸法に変えて表示する表示方法を実施することができる。いずれの使用方法も第１の実施の形態の場合と同じであるので説明は省略する。
【００７２】
【発明の効果】
以上説明したように、請求項１に記載の本発明の光点表示方法によれば、光学素子と前記遮光板との離間寸法を変化させることによって、前記光源からの距離を異にする表示対象に対し基準となる２つの光点の離間寸法を同一にして表示することができる。
【００７３】
また、請求項２に記載の本発明の第２の光点表示方法によれば、光学素子と前記遮光板との離間寸法を変化させることによって、前記光源から同一距離に位置する表示対象に対し基準となる２つの光点の離間寸法を変えて表示することができる。
【００７４】
また、光源と光学素子と遮光板と可変手段とを備えた本発明の光点表示装置によれば、前記２つの光点表示方法を容易に実施することができる。
また、本発明の光点表示方法において、光源と表示対象との離間寸法と表示対象に表示される基準となる２つの光点の離間寸法のいずれか一方の離間寸法を一定とし、残る他方の離間寸法に対応した指標を有する目盛と、前記光学素子と前記遮光板との離間寸法に対応して動きこの離間寸法に対応した前記目盛の指標を指す指針と、を備えた場合には、前記指針を目盛に合わせることによって、更に容易に前記２つの光点表示方法を実施することができる。
【００７５】
さらに、本発明による光点表示装置を使用すれば、天井等の壁面を表示対象として壁面に容易に墨出し作業を行うことができる。
【図面の簡単な説明】
【図１】  本発明の第１の実施の形態における光点表示装置の断面図である。
【図２】  本発明の第１の実施の形態における光点表示装置の断面図である。
【図３】  本発明の第１の実施の形態における光点表示装置の遮光板の平面図である。
【図４】  本発明の第１の実施の形態における光点表示装置の可変手段の斜視図である。
【図５】  本発明の第１の実施の形態における光点表示装置のフレームの正面図である。
【図６】  本発明の第１の実施の形態における光点表示装置のフレームの正面図である。
【図７】  本発明の第１の実施の形態における光点表示装置により天井面に表示された光点を示した平面図である。
【図８】  本発明の第１の実施の形態における光点表示装置により天井面に表示された光点を示した平面図である。
【図９】  本発明の第１の実施の形態における光点表示装置により天井面に表示された光点を示した平面図である。
【図１０】  本発明の第２の実施の形態における光点表示装置の断面図である。
【図１１】  本発明の第２の実施の形態における光点表示装置の遮光板の平面図である。
【図１２】  本発明の第２の実施の形態における光点表示装置により天井面に表示された光点を示した平面図である。
【符号の説明】
１  光点表示装置
５  レーザ発振器（光源）
６  凸レンズ（光学素子）
７  レンズ移動装置（可変手段）
８  遮光板
１５  指針
１７  目盛
１０，１０ａ  透孔
１９  シリンドリカルレンズ（光源）
１００  天井面（表示対象）
Ｐ  光点
【図１】
0003728029.tif 000002
【図２】
0003728029.tif 000003
【図３】
0003728029.tif 000004
【図４】
0003728029.tif 000005
【図５】
0003728029.tif 000006
【図６】
0003728029.tif 000007
【図７】
0003728029.tif 000008
【図８】
0003728029.tif 000009
【図９】
0003728029.tif 000010
【図１０】
0003728029.tif 000011
【図１１】
0003728029.tif 000012
【図１２】
0003728029.tif 000013